【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
アクセス制御を行うための方法であって、
パーティションを備える不揮発性メモリを有し、認証証明書及びアカウントパーミッションを備えるアカウントを含むストレージデバイスによって実行するステップであって、
前記パーティションへのアクセス要求を受信するステップであって、前記要求はセッションＩＤを含み、前記セッションＩＤはエンティティ前記アカウントに対する認証のアカウント許諾を伴い、前記ストレージデバイスは前記アカウント許諾を前記エンティティの認証に先立って保存する、ステップと、
前記ストレージデバイス内で前記セッションＩＤと関連付けられた前記アカウントパーミッションを検索するために、前記要求に含まれた前記セッションＩＤを使用するステップと、
前記アカウントパーミッションが、前記パーティションへのアクセス要求を認可するか否かを決定するステップと、及び
前記アカウントパーミッションが、前記パーティションへのアクセス要求を認可する場合、前記パーティションへのアクセス要求を許可するステップと、
を含む方法。
【請求項２】
前記メモリは付加的なパーティションを有し、前記方法は更に、認証された複数のエンティティが前記付加的なパーティション内のデータへアクセスすることを許可するステップを有する請求項１に記載の方法。
【請求項３】
前記パーティションへのアクセスタイプは、前記エンティティを前記アカウントに対して認証するために使用するいずれの認証からも独立している請求項１に記載の方法。
【請求項４】
複数のアカウントが、前記パーティションへのアクセスタイプの一種として認可され得る請求項１に記載の方法。
【請求項５】
前記アカウントは前記ストレージデバイスのメモリコンポーネント内に保存され、認証を行う間に、前記アカウントに関連する情報が前記ストレージデバイスのコントローラによって前記メモリコンポーネントからフェッチされる請求項１に記載の方法。
【請求項６】
前記パーティションは連続したアドレス領域を有する請求項１に記載の方法。
【請求項７】
アクセス制御を行うための方法であって、
パーティションを備える不揮発性メモリを有し、認証証明書及びアカウントパーミッションを備えるアカウントを含むストレージデバイスによって実行するステップ、即ち：
前記ストレージシステム内の前記不揮発性メモリにおける前記パーティションに対して読出及び書込アクセスのいずれかを許可するステップであって、前記読出及び書込アクセスのいずれか一方は認証なしに許可されるステップと、
前記アカウントに対するエンティティの認証が行われた場合のみ、前記パーティションへの読出及び書込アクセスのいずれか他方が許可され、前記ストレージデバイスは前記エンティティの認証に先立って前記アカウントパーミッションを保存し、当該認証においてセッションＩＤが前記エンティティに対して提供され、前記アカウントパーミッションと関連付けられるステップであって、
前記パーティションへの読出及び書込アクセスのいずれか他方を実行するための、前記セッションＩＤを有する要求を受信するステップと、
前記ストレージデバイス内で前記セッションＩＤと関連付けられた前記アカウントパーミッションを検索するために、前記要求に含まれた前記セッションＩＤを使用するステップと、及び
前記アカウントパーミッションが、前記パーティションへの読出及び書込アクセスのいずれか他方を認可することを決定するステップと、
を含む方法。
【請求項８】
前記パーティションへのアクセスは少なくとも１つの他のアカウントに基づいて制御される請求項７に記載の方法。
【請求項９】
前記メモリは、少なくとも１つの付加的パーティションを有する請求項７に記載の方法。
【請求項１０】
前記アカウントは、アクセス制御記録を有する請求項７に記載の方法。
【請求項１１】
前記アカウントは前記ストレージデバイスのメモリコンポーネント内に保存され、認証を行う間に、前記アカウントに関連する情報が前記ストレージデバイスのコントローラによって前記メモリコンポーネントからフェッチされる請求項７に記載の方法。
【請求項１２】
前記パーティションは連続したアドレス領域を有する請求項７に記載の方法。
【請求項１３】
パーティションを備え、認証証明書とアカウントパーミッションを有するアカウントを入れている不揮発性メモリと、
前記不揮発性メモリと通信するコントローラと
を備えたストレージデバイスであって、
前記コントローラは
前記パーティションへのアクセス要求を受信するステップであって、前記要求はセッションＩＤを含み、前記セッションＩＤはエンティティの前記アカウントに対する認証のアカウント許諾を伴い、前記ストレージデバイスは前記アカウント許諾を前記エンティティの認証に先立って保存する、ステップと、
前記ストレージデバイス内で前記セッションＩＤと関連付けられた前記アカウントパーミッションを検索するために、前記要求に含まれた前記セッションＩＤを使用するステップと、
前記アカウントパーミッションが、前記パーティションへのアクセス要求を認可するか否かを決定するステップと、
前記アカウントパーミッションが、前記パーティションへのアクセス要求を認可する場合には、前記パーティションへのアクセス要求を許可するステップと、
を実行するようにされている
ストレージデバイス。
【請求項１４】
前記メモリは追加のパーティションを備え、前記コントローラは更に、認証されたエンティティが前記追加のパーティションの中のデータにアクセスすることを許諾するようにされた、請求項１３に記載のストレージデバイス。
【請求項１５】
前記パーティションへのアクセスの一種は、前記エンティティの前記アカウントに対する認証に用いられたいずれの照明からも独立である、請求項１３に記載のストレージデバイス。
【請求項１６】
複数のアカウントが前記パーティションへの一種類のアクセスを承認され得る、請求項１３に記載のストレージデバイス。
【請求項１７】
認証を行う間に、前記アカウントに関連する情報が前記ストレージデバイスのコントローラによって前記メモリコンポーネントからフェッチされる、請求項１３に記載のストレージデバイス。
【請求項１８】
前記パーティションは連続した範囲のアドレスを有する、請求項１３に記載のストレージデバイス。
【請求項１９】
パーティションを備え、認証証明書とアカウントパーミッションを有するアカウントを入れている不揮発性メモリと、
前記不揮発性メモリと通信するコントローラと
を備えたストレージデバイスであって、
前記コントローラは
前記不揮発性メモリにおける前記パーティションに対して読出及び書込アクセスのいずれかを許可するステップであって、前記読出及び書込アクセスのいずれか一方は認証なしに許可されるステップと、
前記アカウントに対するエンティティの認証が行われた場合のみ、前記パーティションへの読出及び書込アクセスのいずれか他方が許可され、前記ストレージデバイスは前記エンティティの認証に先立って前記アカウントパーミッションを保存し、当該認証においてセッションＩＤが前記エンティティに対して提供され、前記アカウントパーミッションと関連付けられるステップであって、
前記パーティションへの読出及び書込アクセスのいずれか他方を実行するための、前記セッションＩＤを有する要求を受信するステップと、
前記ストレージデバイス内で前記セッションＩＤと関連付けられた前記アカウントパーミッションを検索するために、前記要求に含まれた前記セッションＩＤを使用するステップと、及び
前記アカウントパーミッションが、前記パーティションへの読出及び書込アクセスのいずれか他方を認可することを決定するステップと、
を実行するようにされている
ストレージデバイス。
【請求項２０】
前記パーティションへのアクセスは少なくとも１つの他のアカウントに基づいて制御される請求項１９に記載のストレージデバイス。
【請求項２１】
前記不揮発性メモリは、少なくとも１つの付加的パーティションを有する請求項１９に記載のストレージデバイス。
【請求項２２】
前記アカウントは、アクセス制御記録を有する請求項１９に記載のストレージデバイス。
【請求項２３】
認証を行う間に、前記アカウントに関連する情報が前記コントローラによって前記メモリコンポーネントからフェッチされる請求項１９に記載のストレージデバイス。
【請求項２４】
前記パーティションは連続した範囲のアドレスを有する、請求項１９に記載のストレージデバイス。